(57)【要約】      （修正有）【課題】組立作業が容易で、安全な回転電機を提供する。【解決手段】ハウジング１は、第１収容空間１１を含む。固定子２は、第１収容空間に設けられ、固定子鉄心２１、複数の巻線２２、回路基板２３及び複数の導電柱２４を含む。固定子鉄心は、中空部２１１を含み、複数の巻線は、固定子鉄心に巻き付けられ、回路基板は、固定子鉄心の頂部に固定して設けられ、複数の導電素子は、それぞれ回路基板に電気的に接続される。回転子３は、軸部３１及び端蓋３２を含み、軸部は、固定子の中空部に設けられ、固定子の駆動により回転し、端蓋はハウジングの頂部に固定して設けられ、開溝３２１を含む。開溝は、複数の導電柱に対応し、複数の導電柱は、それぞれ部分的に開溝を通過する。外蓋６は、接続部６２を含む。各電源ケーブルの両端は、それぞれ複数の導電柱及び接続部に電気的に接続される。【選択図】図２
0003234366.tif 000002
【実用新案登録請求の範囲】
【請求項１】
ハウジングと、固定子と、回転子と、外蓋と、複数の電源ケーブルとを含む回転電機であって、
前記ハウジングは、第１収容空間を含み、
前記固定子は、前記第１収容空間に設けられ、固定子鉄心、複数の巻線、回路基板及び複数の導電柱を含み、前記固定子鉄心は、中空部を含み、複数の前記巻線は、前記固定子鉄心に巻き付けられ、前記回路基板は、前記固定子鉄心の頂部に固定して設けられ、複数の前記導電柱は、それぞれ前記回路基板に電気的に接続されるとともに、前記回路基板の第１表面に設けられ、
前記回転子は、軸部及び端蓋を含み、前記軸部は、前記固定子の前記中空部に設けられるとともに、前記固定子の駆動によって回転し、前記端蓋は、前記ハウジングの頂部に固定して設けられるとともに開溝を有し、前記開溝は複数の前記導電柱に対応し、複数の前記導電柱は、それぞれ部分的に前記開溝を通過し、
前記外蓋は、前記端蓋に接続され、前記端蓋は、前記外蓋と前記ハウジングとの間に挟んで設けられ、前記外蓋は、第２収容空間及び接続部を含み、
複数の前記電源ケーブルは、前記第２収容空間に位置し、各前記電源ケーブルの両端は、それぞれ複数の前記導電柱及び前記接続部に対応して電気的に接続される、回転電機。
【請求項２】
前記ハウジングは、第１開口及び第２開口をさらに含み、
前記第１収容空間は、前記第１開口及び前記第２開口に連通し、前記第１開口及び前記第２開口は、前記ハウジングの対向する両側に位置し、前記端蓋は、前記第１開口をカバーし、前記軸部は、部分的に前記第２開口から突出する、請求項１に記載の回転電機。
【請求項３】
前記回転子は、磁気素子及びベアリングをさらに含み、
前記磁気素子は、前記軸部の周縁に設けられ、前記ベアリングは、前記端蓋に設けられ、前記軸部は、前記ベアリングを介して前記端蓋に回転可能に接続される、請求項１に記載の回転電機。
【請求項４】
前記回路基板は、中心貫通孔、第２表面及び複数の案内孔をさらに含み、
前記中心貫通孔は、前記固定子の前記中空部に対応して設けられ、前記第２表面と前記第１表面とは背向し、前記第２表面は、前記固定子鉄心の前記頂部に近隣し、複数の前記案内孔は、前記回路基板の前記第１表面に形成される、請求項１に記載の回転電機。
【請求項５】
前記固定子鉄心は、前記固定子鉄心の前記頂部に設けられる複数の端子を含み、
複数の前記巻線の一端は、それぞれ複数の前記端子に対応して接続され、
前記回路基板は、それぞれ前記第１表面及び前記第２表面を貫通するとともに、複数の前記案内孔に電気的に接続される複数の導通孔をさらに含み、
複数の前記端子は、それぞれ前記回路基板の複数の前記導通孔に対応して挿設するように接続される、請求項４に記載の回転電機。
【請求項６】
複数の前記導電柱は、電気溶接により前記回路基板の複数の前記導通孔に接続される、請求項５に記載の回転電機。
【請求項７】
各前記導電柱は、第１端及び第２端を含み、複数の前記導電柱の前記第１端は、それぞれ前記回路基板の複数の前記案内孔に対応して接続され、複数の前記導電柱の前記第２端は、前記端蓋の頂面に揃っており、各前記導電柱の前記第２端は、凹部を有する、請求項４に記載の回転電機。
【請求項８】
複数の前記導電柱は、それぞれ中空環状構造であるとともに、それぞれ前記回路基板の前記第１表面に垂直に設けられる、請求項１に記載の回転電機。
【請求項９】
絶縁素子をさらに含み、
前記絶縁素子は、部分的に前記端蓋の前記開溝に設けられるとともに、複数の貫通孔を有し、
複数の前記導電柱は、それぞれ複数の前記貫通孔に貫通して設けられる、請求項１に記載の回転電機。
【請求項１０】
前記端蓋に接続される外蓋をさらに含み、
前記回転子の前記端蓋は、前記外蓋と前記ハウジングとの間に挟んで設けられ、
前記外蓋は、第２収容空間を含み、複数の前記電源ケーブルは、前記第２収容空間に位置する、請求項１に記載の回転電機。
【考案の詳細な説明】
【技術分野】
【０００１】
本考案は、回転電機に関し、特に電源ケーブルの組立作業を容易にする回転電機に関する。
【背景技術】
【０００２】
回転電機（ｒｏｔａｒｙ  ｅｌｅｃｔｒｉｃ  ｍａｃｈｉｎｅ）、例えば、モータ（ｍｏｔｏｒ）は、様々な分野に幅広く使用されている。一般的には、回転電機は、固定子及び回転子を含む。固定子は、固定子鉄心、複数の巻線及び回路基板を含む。固定子鉄心は、中空部を含み、複数の巻線は、固定子鉄心に巻き付けられる。回転子は、固定子の中空部に設けられ、固定子に対して回転することができる。現在、回転電機の電源ケーブルは、人工溶接により固定子の回路基板に直接電気接続される。回転電機の固定子と回転子の組立過程において、まず電源ケーブルを固定子の回路基板に直接溶接する。その後、人工で電源ケーブルを引っ張って回転子の端蓋の対応する貫通孔を通過させ、そして、人工又は設備によりプレスしながらケーブルを引っ張ることにより電源ケーブルを引き出す。最後に、固定子と回転子の組立作業を完成させる。回転電機は、電源ケーブルにより外部電源に接続され、回転電機の動作に必要な電気エネルギーを提供する。
【０００３】
しかしながら、前記固定子と回転子の組立過程において、人工で電源ケーブルを引っ張ることにより電源ケーブルを回転子の端蓋の対応する貫通孔から引き出す必要があるため、電源ケーブルの損傷を引き起こしやすく、製品の信頼度に影響する。また、作業者が回転子と固定子のプレス作業しながら人工でケーブルを引っ張る必要があるため、作業者の手は怪我をしやすい恐れがある。
【０００４】
そのため、従来技術の問題を解決するために、回転電機を開発する必要がある。
【考案の概要】
【０００５】
本考案は、回転電機を提供することを目的とする。この回転電機によれば、電源ケーブルの組立作業が容易であり、回転子と固定子の組裝作業が容易であり、組立時間が節約され、作業者の安全性が向上し、固定子の内部が脱配線化され、電源ケーブルの損傷が回避されて製品の信頼性が向上する。
【０００６】
上記目的を達成するために、本考案の一態様によれば、ハウジング、固定子、回転子、外蓋及び複数の電源ケーブルを含む回転電機が提供される。ハウジングは、第１収容空間を含む。固定子は、第１収容空間に設けられ、固定子鉄心、複数の巻線、回路基板及び複数の導電柱を含む。固定子鉄心は、中空部を含み、複数の巻線は、固定子鉄心に巻き付けられ、回路基板は、固定子鉄心の頂部に固定して設けられ、複数の導電素子は、それぞれ回路基板に電気的に接続されるとともに回路基板の第１表面に設けられる。回転子は、軸部及び端蓋を含み、軸部は、固定子の中空部に設けられるとともに、固定子の駆動により回転し、端蓋は、ハウジングの頂部に固定して設けられ、開溝を含む。開溝は、複数の導電柱に対応し、複数の導電柱は、それぞれ部分的に開溝を通過する。外蓋は、端蓋に接続され、端蓋は、外蓋とハウジングとの間に挟んで設けられる。外蓋は、第２収容空間及び接続部を含む。複数の電源ケーブルは、第２収容空間に位置し、各電源ケーブルの両端は、それぞれ複数の導電柱及接続部に対応して電気的に接続される。
【図面の簡単な説明】
【０００７】
【図１】本考案の一実施例の回転電機の構造模式図である。
【図２】図１に示される回転電機の分解構造模式図である。
【図３】図１に示される回転電機の断面構造模式図である。
【図４】図１に示される回転電機の固定子の分解構造模式図である。
【図５】本考案の一実施例の回転電機の組立方法のフローチャートである。
【図６Ａ】図１に示される回転電機のハウジングと固定子の組立構造の模式図である。
【図６Ｂ】図１に示される回転電機のハウジング、固定子及び回転子の組立構造の模式図である。
【図６Ｃ】図１に示される回転電機のハウジング、固定子、回転子及び電源ケーブルの組立構造の模式図である。
【図６Ｄ】図１に示される回転電機のハウジング、固定子、回転子、電源ケーブル及び絶縁素子の組立構造の模式図である。
【考案を実施するための形態】
【０００８】
以下、典型的な実施例により本考案の特徴及び利点を詳しく説明する。本考案は、異なる態様において様々な変化を有し、これらの変化はいずれも本考案の範囲から逸脱しない。以下の説明及び図面は、本質的に本考案を説明するためのものであり、制限するものではない。
【０００９】
図１から図４を参照されたい。図１は、本考案の一実施例の回転電機の構造模式図である。図２は、図１に示される回転電機の分解構造模式図である。図３は、図１に示される回転電機の断面構造模式図である。図４は、図１に示される回転電機の固定子の分解構造模式図である。本実施例において、回転電機１００は、モータであり、ハウジング１、固定子２、回転子３及び複数の電源ケーブル４を含む。ハウジング１は、第１収容空間１１を含む。固定子２は、ハウジング１の第１収容空間１１に設けられ、固定子鉄心２１、複数の巻線２２、回路基板２３及び複数の導電柱２４を含む。固定子鉄心２１は、中空部２１１を含み、複数の巻線２２は、固定子鉄心２１に巻き付けられる。回路基板２３は、固定子鉄心２１の頂部に固定して設けられる。複数の導電柱２４は、それぞれ回路基板２３に電気的に接続され、回路基板２３の第１表面２３２に設けられる。回転子３は、軸部３１及び端蓋３２を含み、軸部３１は、固定子２の中空部２１１に設けられるとともに、固定子２の駆動により回転する。端蓋３２は、ハウジング１の頂部に固定して設けられる。端蓋３２は、開溝３２１を含み、開溝３２１は、固定子２の複数の導電柱２４に対応し、複数の導電柱２４は、それぞれ部分的に開溝３２１を通過する。複数の電源ケーブル４は、それぞれ複数の導電柱２４に対応して電気的に接続される。
【００１０】
本実施例において、ハウジング１は、第１開口１２及び第２開口１３をさらに含む。第１収容空間１１は、第１開口１２及び第２開口１３に連通する。第１開口１２及び第２開口１３は、ハウジング１の対向する両側に位置する。一実施例において、回転子３の端蓋３２は、第１開口１２をカバーする。回転子３の軸部３１は、部分的に前記第２開口１３から突出する。
【００１１】
本実施例において、固定子２は、ハウジング１の第１収容空間１１に固定して設けられる。固定子鉄心２１は、固定子鉄心２１の頂部に設けられる複数の端子２５をさらに含む。複数の巻線２２は、それぞれ固定子鉄心２１に巻き付けられる。複数の巻線２２の一端は、それぞれ複数の端子２５に対応して電気的に接続される。回路基板２３は、固定子鉄心２１の頂部に固定して設けられるとともに、中心貫通孔２３１、第１表面２３２及び第２表面２３３を有する。前記中心貫通孔２３１と固定子鉄心２１の中空部２１１とは対向して設けられる。第１表面２３２と第２表面２３３とは背向する。複数の導電柱２４は、回路基板２３の第１表面２３２に設けられ、回路基板２３の第２表面２３３は、固定子鉄心２１の頂部に隣接する。一実施例において、回路基板２３は、例えば、溶接により固定子鉄心２１の頂部に固定して設けられるが、これに限定されない。一実施例において、回路基板２３は、それぞれ回路基板２３の第１表面２３２及び第２表面２３３を貫通するとともに、それぞれ固定子鉄心２１の複数の端子２５に対応して設けられる複数の導通孔２３４をさらに含む。回路基板２３が固定子鉄心２１の頂部に固定して設けられている場合、複数の端子２５は、それぞれ複数の導通孔２３４に対応して挿設するように接続され、これによって、回路基板２３と複数の巻線２２とは電気的に接続される。一実施例において、回路基板２３は、第１表面２３２に形成されるとともに中心貫通孔２３１の周縁に沿って設けられる複数の案内孔２３５をさらに含む。複数の案内孔２３５は、回路基板２３の配線（図示せず）により複数の導通孔２３４に電気的に接続することができる。一実施例において、複数の案内孔２３５の数は、複数の導電柱２４の数と同じである。
【００１２】
本実施例において、複数の導電柱２４は、第１導電柱２４ａ、第２導電柱２４ｂ及び第３導電柱２４ｃを含む。なお、導電柱２４の数はこの限りではなく、実際の必要に応じて変更することができる。各導電柱２４は、第１端２４１及び第２端２４２を含む。複数の導電柱２４の各第１端２４１は、それぞれ回路基板２３の複数の案内孔２３５に対応して挿設するように接続され、これによって、複数の導電柱２４と回路基板２３とは電気的に接続される。導電柱２４は、電気溶接により回路基板２３の複数の案内孔２３５に接続される。複数の導電柱２４をそれぞれ複数の案内孔２３５に対応して挿設するように接続することにより、複数の導電柱２４を迅速で正確に位置決めすることができることで、製造プロセスが簡単化され、組立作業時間が節約され得る。本実施例において、各導電柱２４の第２端２４２は、凹部２４３を有する。凹部２４３は、第２端２４２が第１端２４１の方向に向かって導電柱２４内に凹んでなるものである。複数の電源ケーブル４は、それぞれ複数の導電柱２４の凹部２４３に対応して接続され、これによって、複数の電源ケーブル４を迅速で正確に位置決めすることができることで、製造プロセスが簡単化され、組立作業時間が節約され得る。一実施例において、各導電柱２４の凹部２４３は、第１端２４１及び第２端２４２を貫通し、即ち、複数の導電柱２４は、それぞれ中空環状構造であるが、この限りではない。一実施例において、複数の導電柱２４は、回路基板２３の中心貫通孔２３１の周縁に沿って設けられる。複数の導電柱２４は、それぞれ部分的に開溝３２１を通過するように回転子３の端蓋３２の開溝３２１に対応する。複数の導電柱２４の各第２端２４２は外に向かって開溝３２１から突出して端蓋３２の頂面３２２に揃っているが、この限りではない。導電柱２４の第２端２４２が回転子３の端蓋３２の頂面３２２に揃うことにより、固定子２と回転子３が組み立てられた後、導電柱２４の可視性が良好であり、電源ケーブル４を導電柱２４に直接溶接することができることで、製造プロセスが簡単化され、組立作業時間が節約され、固定子２の内部が脱配線化され、作業者の安全性が向上する。なお、回転子３の端蓋３２の頂面３２２に対する導電柱２４の第２端２４２の位置は、上記実施例に限定されず、実際の必要に応じて任意に変更することができる。例えば、導電柱２４の第２端２４２は、回転子３の端蓋３２の頂面３２２よりもやや高いか又は低くてもよい。一実施例において、導電柱２４は、銅材料で作製することができる。導電柱２４の表面にスズを電気メッキしてもよいが、この限りではない。一実施例において、複数の導電柱２４は、それぞれ回路基板２３の第１表面２３２に垂直に設けられる。
【００１３】
本実施例において、回転子３は、磁気素子３３及びベアリング３４をさらに含む。磁気素子３３は、軸部３１の周縁に設けられる。ベアリング３４は、端蓋３２の通孔に固定して設けられ、軸部３１は、ベアリング３４により端蓋３２に回転可能に接続される。軸部３１は、第１端部３１１及び第２端部３１２を含む。第１端部３１１は、自由端部であり、第２端部３１２は、ベアリング３４により端蓋３２に接続されることにより、軸部３１は、端蓋３２に対して回転することができる。回転子３の軸部３１は、固定子２の中空部２１１に位置し、軸部３１の第１端部３１１は、ハウジング１の第２開口１３を介してハウジング１から突出する。端蓋３２は、ハウジング１に固定して設けられ、ハウジング１の第１開口１２をカバーするようにハウジング１の頂部に接続される。本実施例において、端蓋３２とハウジング１の接続方式は、ネジによるロックであってもよいが、この限りではない。
【００１４】
本実施例において、複数の電源ケーブル４の数は、複数の導電柱２４の数と同じである。一実施例において、複数の電源ケーブル４は、第１電源ケーブル４１、第２電源ケーブル４２及び第３電源ケーブル４３を含む。なお、電源ケーブル４の数は上記実施例に限定されず、実際の使用に応じて変更することができる。各電源ケーブル４は、第１端４ａ及び第２端４ｂを含む。複数の電源ケーブル４の各第１端４ａは、それぞれ複数の導電柱２４の第２端２４２に対応して接続される。電源ケーブル４の第１端４ａと導電柱２４の第２端２４２との接続方式は、溶接であることが好ましいが、この限りではない。一実施例において、回転電機１００は、三相回転電機である。第１相を有する電圧は第１電源ケーブル４１に印加され、第２相を有する電圧は第２電源ケーブル４２に印加され、第３相を有する電圧は第３電源ケーブル４３に印加される。第１電源ケーブル４１はライブ線、第２電源ケーブル４２はニュートラル線、第３電源ケーブル４３はアース線であるが、この限りではない。
【００１５】
一実施例において、回転電機１００は、絶縁素子５をさらに含む。絶縁素子５は、部分的に端蓋３２の開溝３２１に設けられるとともに、複数の貫通孔５１を含む。複数の貫通孔５１は、それぞれ複数の導電柱２４に対応して設けられ、複数の導電柱２４がそれぞれ複数の貫通孔５１に対応して挿設され、複数の導電柱２４の各第２端２４２は、絶縁素子５の頂面からやや露出する。絶縁素子５の設置により、複数の導電柱２４と周辺部品とは絶縁され、電気安全が向上する。一実施例において、絶縁素子５の複数の貫通孔５１の数は、複数の電源ケーブル４の数及び複数の導電柱２４の数と同じであるが、この限りではない。本実施例において、絶縁素子５は、回転子３をカバーする端蓋３２の開溝３２１に設けられる。絶縁素子５で開溝３２１を密閉することにより、防塵、防水及び絶縁の効果が達成される。本実施例において、絶縁素子５は、コム材料で作製されるが、この限りではない。
【００１６】
一実施例において、回転電機１００は、外蓋６をさらに含む。外蓋６は、外蓋６がハウジング１に固定して設けられ、即ち、回転子３の端蓋３２が外蓋６とハウジング１との間に挟んで設けられるように端蓋３２に接続される。外蓋６は、第２収容空間６１及び接続部６２を含む。複数の電源ケーブル４の一部は、第２収容空間６１に位置し、複数の電源ケーブル４の各第２端４ｂは、接続部６２に接続されることで、接続部６２により外部電源（図示せず）に接続される。電源ケーブル４は、回転電機１００の動作に必要な電気エネルギーを提供することができる。また、外蓋６の設計により、回転子３の端蓋３２は完全に密封され、異物が入って干渉することが回避される。
【００１７】
一実施例において、回転電機１００は、固定子２の回路基板２３の第１表面２３２に形成されるパッケージング層（図示せず）をさらに含むことにより、回路基板２３に対して防水、防塵の機能を提供する。
【００１８】
図１、図２、図５から図６Ｄを参照されたい。図５は、本考案の一実施例の回転電機の組立方法のフローチャートである。図６Ａは、図１に示される回転電機のハウジングと固定子の組立構造の模式図である。図６Ｂは、図１に示される回転電機のハウジング、固定子及び回転子の組立構造の模式図である。図６Ｃは、図１に示される回転電機の固定子及び電源ケーブルの組立構造の模式図である。図６Ｄは、図１に示される回転電機のハウジング、固定子、回転子、電源ケーブル及び絶縁素子の組立構造の模式図である。本実施例において、回転電機１００の組立方法は、以下のステップを含む。ステップＳ１において、ハウジング１、固定子２、回転子３及び複数の電源ケーブル４を提供する。ハウジング１は、第１収容空間１１を含み、固定子２は、固定子鉄心２１、複数の巻線２２、回路基板２３及び複数の導電柱２４を含む。固定子鉄心２１は、中空部２１１を含む。複数の巻線２２は、固定子鉄心２１に巻き付けられ、回路基板２３は、固定子鉄心２１の頂部に固定して設けられ、複数の導電柱２４は、それぞれ回路基板２３に電気的に接続されるとともに、回路基板２３の第１表面２３２に設けられる。回転子３は、軸部３１及び端蓋３２を含み、端蓋３２は、開溝３２１を含む。一実施例において、前記ステップＳ１は、順に以下のステップを含む。まず、回路基板２３の第２表面２３３を固定子鉄心２１の頂部に近づけ、回路基板２３を複数の巻線２２に電気的に接続させ、回路基板２３を固定子鉄心２１の頂部に固定して設ける。その後、複数の導電柱２４をそれぞれ回路基板２３に電気的に接続させるとともに、回路基板２３の第１表面２３２に設ける。
【００１９】
さらに、ステップＳ２において、図６Ａに示すように、固定子２をハウジング１の第１収容空間１１に設ける。その後、ステップＳ３において、回転子３の軸部３１を固定子２の中空部２１１に設け、回転子３の端蓋３２をハウジング１の頂部に固定して設け、固定子２の複数の導電柱２４をそれぞれ部分的に開溝３２１を通過させる。複数の導電柱２４の各第２端２４２は外へ向いて開溝３２１から突出する（図６Ｂ）。最後に、ステップＳ４において、複数の電源ケーブル４をそれぞれ複数の導電柱２４に対応して電気的に接続させる（図６Ｃ）。
【００２０】
図５から図６Ｄを参照されたい。一実施例において、本考案の回転電機１００の組立方法は、ステップＳ４の後にステップＳ５をさらに含む。ステップＳ５において、絶縁素子５を提供し、絶縁素子５を部分的に端蓋３２の開溝３２１に設ける。絶縁素子５は、複数の貫通孔５１を含む。固定子２の複数の導電柱２４をそれぞれ複数の貫通孔５１に対応して挿設する。一実施例において、絶縁素子５を端蓋３２の開溝３２１に設けるときに、まず複数の電源ケーブル４をそれぞれ絶縁素子５の複数の貫通孔５１に通過させ、次に、絶縁素子５を複数の導電柱２４に近づくように摺動させ、さらに、絶縁素子５の複数の貫通孔５１を複数の導電柱２４に套設し、最後に、絶縁素子５を端蓋３２に設けられるように開溝３２１に固定する（図６Ｄ）。なお、絶縁素子５の設置方法は、上記実施例に限定されず、実際の必要に応じて変更することができる。別の実施例において、まず絶縁素子５の複数の貫通孔５１を複数の導電柱２４に対応して套設し、次いで、絶縁素子５を端蓋３２の開溝３２１に固定し、さらに、複数の電源ケーブル４をそれぞれ複数の導電柱２４に対応して電気的に接続させる。
【００２１】
図１、５及び６Ｄを参照されたい。一実施例において、本考案の回転電機１００の組立方法は、ステップＳ５の後にステップＳ６をさらに含む。ステップＳ６において、外蓋６を提供し、外蓋６を端蓋３２に接続させ、回転子３の端蓋３２を外蓋６とハウジング１との間に挟んで設ける（図１）。
【００２２】
以上より、本考案は、回転電機を提供する。この回転電機によれば、電源ケーブルの組立作業が容易であり、回転子と固定子の組裝作業が容易であり、組立時間が節約され、作業者の安全性が向上し、固定子の内部が脱配線化され、電源ケーブルの損傷が回避されて製品の信頼性が向上する。
【００２３】
当業者は、本考案に対して様々な修飾することができる。これらの修飾は、いずれも実用新案登録請求の範囲に含まれる。
【符号の説明】
【００２４】
１００：回転電機
１：ハウジング
１１：第１収容空間
１２：第１開口
１３：第２開口
２：固定子
２１：固定子鉄心
２１１：中空部
２２：巻線
２３：回路基板
２３１：中心貫通孔
２３２：第１表面
２３３：第２表面
２３４：導通孔
２３５：案内孔
２４：導電柱
２４ａ：第１導電柱
２４ｂ：第２導電柱
２４ｃ：第３導電柱
２４１：第１端
２４２：第２端
２４３：凹部
２５：端子
３：回転子
３１：軸部
３１１：第１端部
３１２：第２端部
３２：端蓋
３２１：開溝
３２２：頂面
３３：磁気素子
３４：ベアリング
４：電源ケーブル
４ａ：第１端
４ｂ：第２端
４１：第１電源ケーブル
４２：第２電源ケーブル
４３：第３電源ケーブル
５：絶縁素子
５１：貫通孔
６：外蓋
６１：第２収容空間
６２：接続部
Ｓ１〜Ｓ６：回転電機の組立方法及び手順
【図１】
0003234366.tif 000003
【図２】
0003234366.tif 000004
【図３】
0003234366.tif 000005
【図４】
0003234366.tif 000006
【図５】
0003234366.tif 000007
【図６Ａ】
0003234366.tif 000008
【図６Ｂ】
0003234366.tif 000009
【図６Ｃ】
0003234366.tif 000010
【図６Ｄ】
0003234366.tif 000011